(57)【要約】【課題】安価な構成であり、かつ、ケーブル類の処理を不要にすることができる、アーム式表示器および表示器用アームを提供する。【解決手段】アーム本体１４の先端部に取り付けられた保持具１５にテレビ本体１１が保持され、アーム本体１４の基端部が固定具１６により他部材に対して固定されることにより、テレビ本体１１がアーム１２に支持される。アーム本体１４は、ステンレス製のパイプからなる。また、アーム本体１４内に複数本のケーブル１３（たとえば、テレビ本体１１での受像に必要な電源ケーブルおよびアンテナケーブル）が挿通されるので、ケーブル１３をアーム本体１４にテープなどで固定する処理が不要である。さらに、アーム本体１４が半円弧状に湾曲しているので、医師または看護師がベッド２で寝ている患者に処置を施す際などにアーム本体１４が邪魔にならない。【選択図】図１
0003209224.tif 000002
【実用新案登録請求の範囲】
【請求項１】
画像を表示する表示器と、
前記表示器を支持するアームとを含み、
前記アームは、先端を含む所定部が半円弧状に湾曲したパイプからなるアーム本体を備え、
前記アーム本体には、コネクタを配線と一体にモールド加工したケーブルが複数本挿通され、
前記アーム本体の先端部には、前記表示器を保持する保持具が取り付けられており、
前記アーム本体の基端部は、固定具により他部材に対して固定される、アーム式表示器。
【請求項２】
床面に載置された状態で自立する土台をさらに含み、
前記アームの基端部は、前記固定具により前記土台に対して固定される、請求項１に記載のアーム式表示器。
【請求項３】
画像を表示する表示器の支持に用いられるアームであって、
先端を含む所定部が半円弧状に湾曲したパイプからなり、コネクタを一体にモールド加工したケーブルが複数本挿通されるアーム本体と、
前記アーム本体の先端部に取り付けられ、前記表示器を保持する保持具と、
前記アーム本体の基端部を他部材に対して固定する固定具とを含む、表示器用アーム。
【考案の詳細な説明】
【技術分野】
【０００１】
本考案は、液晶テレビなどの表示器の支持に用いられるアームおよびアームに支持される表示器に関する。
【背景技術】
【０００２】
たとえば、病院の病室や透析室では、各ベッドに対応づけて床頭台が設けられ、その床頭台上にテレビが設置されていることがある。通常は、ベッドで寝ている患者の枕元の横に床頭台が配置されるため、そのベッドに寝ている姿勢の患者からテレビが見えにくい。人工透析中など、患者がベッドから自由に降りて動くことができない状況では、患者がテレビの向きを見やすい角度に調整することが困難である。
【０００３】
そこで、近年では、先端部にテレビ（たとえば、液晶テレビ）を保持し、基端部を床頭台またはベッドフレームなどに取り付けることが可能なテレビアームが提供されている。このテレビアームのアーム本体は、その形状を種々に変更可能な多関節アームまたはフレキシブルアームからなる。そのため、アーム本体を変形させることにより、テレビを広範囲に移動させることができ、また、テレビの向きを自在に変更することができる。よって、患者がベッドに寝ながらであっても、テレビの位置および向きを自身の見やすいように調整することができる。
【先行技術文献】
【特許文献】
【０００４】
【特許文献１】特開２００７−１２４０２４号公報
【考案の概要】
【考案が解決しようとする課題】
【０００５】
しかしながら、アーム本体に多関節アームまたはフレキシブルアームを採用した構成では、コストが高くつき、製品価格が高くなる。また、テレビに接続される電源ケーブルやアンテナケーブルなどのケーブル類（コード類）をアーム本体にテープなどで固定する処理を必要とし、テレビおよびテレビアームの設置に手間がかかる。
【０００６】
本考案の目的は、テレビなどの表示器の位置を調整できるうえ、製品価格を低減でき、かつ、ケーブル類の処理を不要にすることができる、アーム式表示器および表示器用アームを提供することである。
【課題を解決するための手段】
【０００７】
前記の目的を達成するため、本考案の一の局面に係るアーム式表示器は、画像を表示する表示器と、表示器を支持するアームとを含み、アームは、先端を含む所定部が半円弧状に湾曲したパイプからなるアーム本体を備え、アーム本体には、コネクタを配線と一体にモールド加工したケーブルが複数本挿通され、アーム本体の先端部には、表示器を保持する保持具が取り付けられており、アーム本体の基端部は、固定具により他部材に対して固定される。
【０００８】
この構成によれば、アーム本体の先端部に取り付けられた保持具に表示器が保持され、アーム本体の基端部が固定具により他部材に対して固定されることにより、表示器がアームに支持される。
【０００９】
アーム本体の基端部における他部材に対する固定位置および固定角度を変更することにより、表示器の位置および角度を調整することができる。そして、アーム本体がパイプからなるので、アーム本体が多関節アームまたはフレキシブルアームからなる構成と比較して、コストを低減することができる。また、アーム本体内に複数本のケーブルが挿通されるので、たとえば、表示器がテレビである場合には、テレビでの受像に必要な電源ケーブルおよびアンテナケーブルをアーム本体内に挿通させることができる。したがって、それらのケーブル類をアーム本体にテープなどで固定する処理が不要である。
【００１０】
よって、表示器の位置を調整できるうえ、アーム本体に多関節アームまたはフレキシブルアームを用いた構成と比較して製品価格を低減でき、かつ、ケーブル類の処理を不要にすることができる。
【００１１】
しかも、アーム式表示器は、病院の病室や透析室に配置されているベッドで患者が寝ながら表示器に表示される画像を見る用途にとくに好適である。この用途では、患者が表示器を見やすい位置にアーム式表示器が配置される場合、患者の上半身の横側ないし枕元から患者の胸の上方の位置にかけてアーム本体が延びることになる。かかる患者には、点滴や人工透析の腕などにチューブが接続されるが、アーム式表示器が配置されていても、表示器に接続されるケーブル類がアーム本体内に挿通されているので、患者の上半身の周囲でケーブル類が露出しない。また、アーム本体が半円弧状に湾曲しているので、医師または看護師が患者に処置を施す際にアーム本体が邪魔にならない。よって、医師または看護師による患者への処置の邪魔になることを抑制できながら、前述した効果、すなわち、表示器の位置を調整できるうえ、アーム本体に多関節アームまたはフレキシブルアームを用いた構成と比較して製品価格を低減でき、かつ、ケーブル類の処理を不要にすることができるという効果を奏することができる。
【００１２】
なお、アーム本体が多関節アームまたはフレキシブルアームからなる構成では、アーム本体の形状を自由に変更可能であるため、ベッドに寝ている患者が表示器を見やすいようにアーム本体の形状を調整した場合に、アーム本体が患者の上半身の近傍に配置される場合がある。この場合、医師または看護師が患者に処置を施す際に、アーム本体が邪魔になるため、アーム本体の形状を変更しなければならず、処置後に患者が表示器に表示される画像を見るときには、身動きが不自由な患者がアーム本体の形状を再度変更して、表示器を見やすい位置に配置しなければならない。
【００１３】
これに対し、アーム本体が半円弧状に湾曲したパイプからなる構成では、表示器がベッドに寝ているから見やすい位置に配置された状態でも、アーム本体が医師または看護師による患者への処置の邪魔にならないので、その処置を施す際に表示器の位置を変更する必要がなく、処置後に表示器の位置を元の位置に戻す必要がない。したがって、このアーム式表示器は、透析室などに配置されたベッド上で身動きが不自由な患者にとっても、かかる患者に処置を施す医師または看護師にとっても、非常に便利である。
【００１４】
アーム式表示器は、床面に載置された状態で自立する土台をさらに含み、アームの基端部は、固定具により土台に対して固定されてもよい。
【００１５】
なお、本考案は、アーム式表示器の形態で実現することができるだけでなく、たとえば、表示器用アームの形態で実現することもできる。
【００１６】
すなわち、本発明の他の局面に係る表示器用アームは、画像を表示する表示器の支持に用いられるアームであって、先端を含む所定部が半円弧状に湾曲したパイプからなり、コネクタを一体にモールド加工したケーブルが複数本挿通されるアーム本体と、アーム本体の先端部に取り付けられ、表示器を保持する保持具と、アーム本体の基端部を他部材に対して固定する固定具とを含む。
【考案の効果】
【００１７】
本考案によれば、テレビなどの表示器の位置を調整できるうえ、製品価格を低減でき、かつ、ケーブル類の処理を不要にすることができる。
【図面の簡単な説明】
【００１８】
【図１】本考案の一実施形態に係るアーム式テレビの使用状態を図解的に示す側面図である。
【図２】アーム本体の各部の寸法を示す側面図である。
【図３】自立型アーム式テレビの側面図である。
【図４】自立型アーム式テレビの土台の平面図である。
【図５】土台の支持部およびアーム保持部を示す側面図である。
【考案を実施するための形態】
【００１９】
以下では、本考案の実施の形態について、添付図面を参照しつつ詳細に説明する。
【００２０】
＜アーム式テレビ＞
図１は、本考案の一実施形態に係るアーム式テレビ１の使用状態を図解的に示す側面図である。
【００２１】
アーム式テレビ１は、たとえば、病院の病室や透析室に配置されたベッド２に取り付けて使用される。アーム式テレビ１は、液晶テレビからなるテレビ本体１１と、テレビ本体１１を支持するアーム１２と、テレビ本体１１に接続される複数本のケーブル１３とを含む。
【００２２】
アーム１２は、アーム本体１４、保持具１５および２個の固定具１６を備えている。
【００２３】
アーム本体１４は、たとえば、ステンレス製のパイプ（円管）からなる。アーム本体１４は、直線状に延びる直線部２１と、直線部２１から一方側に延びて半円弧状に湾曲した湾曲部２２とを一体に有している。
【００２４】
保持具１５は、アーム本体１４の先端部に取り付けられて、テレビ本体１１を上下方向に角度調整可能に保持するよう構成されている。具体的には、保持具１５は、アーム本体１４の湾曲部２２の先端部が挿通される挿通部２３と、テレビ本体１１の裏面に固定される固定部２４と、固定部２４を挿通部２３に対して水平方向に延びる軸線を中心に回動（揺動）可能に連結する連結部２５とを備えている。湾曲部２２の先端部が挿通部２３に挿通されて、その先端部が挿通部２３に固定されることにより、保持具１５が湾曲部２２の先端部に取り付けられる。固定部２４は、平板状をなし、テレビ本体１１の裏面に沿って配置され、テレビ本体１１に対して固定される。
【００２５】
各固定具１６は、アーム本体１４の直線部２１をアーム式テレビ１以外の他部材に固定するよう構成されている。具体的には、固定具１６は、直線部２１が挿通される挿通部２６と、挿通部２６に固定されたクランプ２７とを備えている。直線部２１が各固定具１６の挿通部２６に挿通されて、直線部２１が挿通部２６に固定されることにより、各固定具が直線部２１に取り付けられる。そして、各固定具１６のクランプ２７が他部材を挟み込んで他部材に固定されることにより、直線部２１が他部材に対して固定される。
【００２６】
複数本のケーブル１３には、電源ケーブルおよびアンテナケーブルなどが含まれる。各ケーブル１３は、両端にコネクタを有し、それらのコネクタを配線と一体にモールド加工したタイプのケーブルである。各ケーブル１３は、アーム本体１４に挿通されて、それらの両端がアーム本体１４から外部に引き出されている。アーム本体１４の先端から引き出された各ケーブル１３のコネクタは、テレビ本体１１に設けられた端子に接続され、アーム本体１４の基端から引き出された各ケーブル１３のコネクタは、たとえば、病室や透析室の壁面などに設けられた端子に接続される。
【００２７】
＜作用効果＞
以上のように、アーム本体１４の先端部に取り付けられた保持具１５にテレビ本体１１が保持され、アーム本体１４の基端部が固定具１６により他部材に対して固定されることにより、テレビ本体１１がアーム１２に支持される。固定具１６が挿通部２６を備え、アーム本体１４の直線部２１が挿通部２６に挿通されて固定される構成であるので、挿通部２６に対する直線部２１の高さ方向（上下方向）の位置を変更することにより、テレビ本体１１の上下方向の位置を調整することができ、挿通部２６に対する直線部２１の回転方向の位置を変更することにより、テレビ本体１１の水平方向の位置を調整することができる。また、保持具１５は、テレビ本体１１に固定される固定部２４がアーム本体１４に固定される挿通部２３に対して水平方向に延びる軸線を中心に回動（揺動）可能に連結された構成である。そのため、テレビ本体１１の上下方向の角度を調整することができる。よって、使用者がベッドに寝たり、ソファーに座ったり寝たりしたままの楽な姿勢で、使用者から見やすい位置にテレビ本体１１を配置することができ、テレビ本体１１に映し出される映像の鑑賞を楽しむことができる。
【００２８】
そして、アーム式テレビ１では、アーム本体１４がパイプからなるので、アーム本体１４が多関節アームまたはフレキシブルアームからなる構成と比較して、コストを低減することができる。また、複数本のケーブル１３（たとえば、テレビ本体１１での受像に必要な電源ケーブルおよびアンテナケーブル）がアーム本体１４内に挿通されるので、ケーブル１３をアーム本体１４にテープなどで固定する処理が不要である。
【００２９】
よって、アーム式テレビ１では、テレビ本体１１の位置を自由自在に調整できるうえ、アーム本体１４に多関節アームまたはフレキシブルアームを用いた構成と比較して製品価格を低減でき、かつ、ケーブル１３の処理を不要にすることができる。
【００３０】
しかも、アーム式テレビ１は、病院の病室や透析室に配置されているベッドで患者が寝ながらテレビ本体１１に表示される画像を見る用途にとくに好適である。この用途では、患者がテレビ本体１１を見やすい位置にアーム式テレビ１が配置される場合、患者の上半身の横側ないし枕元から患者の胸の上方の位置にかけてアーム本体１４が延びることになる。かかる患者には、点滴や人工透析の腕などにチューブが接続されるが、アーム式テレビ１が配置されていても、テレビ本体１１に接続されるケーブル１３がアーム本体１４内に挿通されているので、患者の上半身の周囲でケーブル１３が露出しない。また、アーム本体１４が半円弧状に湾曲しているので、医師または看護師が患者に処置を施す際にアーム本体１４が邪魔にならない。よって、医師または看護師による患者への処置の邪魔になることを抑制できながら、その処置中も患者がテレビ本体１１に映し出される映像の鑑賞を楽しむことができる。
【００３１】
アーム本体１４が多関節アームまたはフレキシブルアームからなる構成では、アーム本体１４の形状を自由に変更可能であるため、ベッドに寝ている患者がテレビ本体１１を見やすいようにアーム本体１４の形状を調整した場合に、アーム本体１４が患者の上半身の近傍に配置される場合がある。この場合、医師または看護師が患者に処置を施す際に、アーム本体１４が邪魔になるため、アーム本体１４の形状を変更しなければならず、処置後に患者がテレビ本体１１に表示される画像を見るときには、身動きが不自由な患者がアーム本体１４の形状を再度変更して、テレビ本体１１を見やすい位置に配置しなければならない。
【００３２】
これに対し、アーム本体１４が半円弧状に湾曲したパイプからなる構成では、テレビ本体１１がベッドに寝ているから見やすい位置に配置された状態でも、アーム本体１４が医師または看護師による患者への処置の邪魔にならないので、その処置を施す際にテレビ本体１１の位置を変更する必要がなく、処置後にテレビ本体１１の位置を元の位置に戻す必要がない。したがって、このアーム式テレビ１は、透析室などに配置されたベッド上で身動きが不自由な患者にとっても、かかる患者に処置を施す医師または看護師にとっても、非常に便利である。
【００３３】
＜各部の寸法＞
なお、医師または看護師による患者への処置の際にアーム本体１４が邪魔にならず、かつ、患者から見やすい位置へのテレビ本体１１の配置を可能とするためには、アーム本体１４の各部の寸法が重要である。
【００３４】
図２は、アーム本体１４の各部の寸法を示す側面図である。
【００３５】
病室および透析室での使用を想定して、テレビ本体１１の画面サイズが１０〜１４インチであると仮定した場合、図２に示されるように、アーム本体１４の湾曲部２２の直径は、６０〜８０ｃｍであり、アーム本体１４の直線部２１の長さは、９０〜１２０ｃｍであることが好ましい。この寸法により、直線部２１の上下方向の可動範囲が１０〜３０ｃｍとなり、ベッド２に寝ている患者の目からテレビ本体１１までの距離を４０〜７０ｃｍに調整することができ、患者から見やすい位置にテレビ本体１１を配置することができる。
【００３６】
また、アーム本体１４を構成するパイプは、ケーブル１３の両端のコネクタの外径に応じた径のものを用いることが好ましく、たとえば、コネクタの外径が１２〜１３ｍｍである場合、アーム本体１４には、外径（直径）が１３．８ｍｍ（厚さ０．８〜１．０ｍｍ）〜１９．０（厚さ０．８〜１．２ｍｍ）の市販のステンレス製パイプを用いることができる。
【００３７】
＜自立型アーム式テレビ＞
図３は、自立型アーム式テレビ１００の側面図である。
【００３８】
自立型アーム式テレビ１００は、ベッド２（図１参照）などに取り付けることなく、病室や透析室などの床面に自立させて使用することができる。自立型アーム式テレビ１００は、液晶テレビからなるテレビ本体１０１と、テレビ本体１０１を支持するアーム１０２と、アーム１０２を自立させる土台１０３と、テレビ本体１０１に接続される複数本のケーブル１０４とを含む。
【００３９】
アーム１０２は、アーム本体１０５および保持具１０６を備えている。
【００４０】
アーム本体１０５は、たとえば、ステンレス製のパイプ（円管）からなる。アーム本体１０５は、直線状に延びる直線部１１１と、直線部１１１から一方側に延びて半円弧状に湾曲した湾曲部１１２とを一体に有している。
【００４１】
保持具１０６は、アーム本体１０５の先端部に取り付けられて、テレビ本体１０１を上下方向に角度調整可能に保持するよう構成されている。具体的には、保持具１０６は、アーム本体１０５の湾曲部１１２の先端部が挿通される挿通部１１３と、テレビ本体１０１の裏面に固定される固定部１１４と、固定部１１４を挿通部１１３に対して水平方向に延びる軸線を中心に回動（揺動）可能に連結する連結部１１５とを備えている。湾曲部１１２の先端部が挿通部１１３に挿通されて、その先端部が挿通部１１３に固定されることにより、保持具１０６が湾曲部１１２の先端部に取り付けられる。固定部１１４は、平板状をなし、テレビ本体１０１の裏面に沿って配置され、テレビ本体１０１に対して固定される。
【００４２】
図４は、土台１０３の平面図である。図５は、土台１０３の一部を示す側面図であり、図３に示される土台１０３をその左側から見た図である。
【００４３】
土台１０３は、自立可能であって、アーム本体１０５の直線部１１１を上下方向に位置調整可能かつ回動調整可能に保持するよう構成されている。具体的には、土台１０３は、２個の脚部１２１、２個の支持部１２２およびアーム保持部１２３を備えている。各脚部１２１は、３本の直線状のパイプ（単管）１２４，１２５，１２６を２個のＴ型ジョイント１２７，１２８で継ぎ合わせることにより形成されている。各支持部１２２は、図５に示されるように、アーチ形状（略半円弧状）のパイプ１２９の両端にＴ型ジョイント１３０を介して単管１３１を継ぎ合わせることにより形成されている。２個のＴ型ジョイント１３０間には、単管１３２が架設されている。一方の支持部１２２の２本の単管１３１の下端は、図４に示されるように、各脚部１２１のＴ型ジョイント１２７に接続され、他方の支持部１２２の２本の単管１３１の下端は、各脚部１２１のＴ型ジョイント１２８に接続されている。これにより、各支持部１２２は、図４に示されるように、２個の脚部１２１間に架設されている。アーム保持部１２３は、たとえば、ステンレス製の角形パイプからなり、２個の支持部１２２の間で上下方向に延びるように配置され、各支持部１２２に溶接により固定されている。
【００４４】
アーム保持部１２３には、アーム本体１０５の直線部１１１が上側から挿入される。アーム保持部１２３の上端部には、締付部材１３３が設けられており、この締付部材１３３により、アーム保持部１２３内に挿入された直線部１１１を一方側から締め付けて（押し付けて）、直線部１１１をアーム保持部１２３に対して固定することができる。
【００４５】
複数本のケーブル１０４には、電源ケーブルおよびアンテナケーブルなどが含まれる。各ケーブル１０４は、両端にコネクタを有し、それらのコネクタを配線と一体にモールド加工したタイプのケーブルである。各ケーブル１０４は、アーム本体１０５に挿通されて、それらの両端がアーム本体１０５から外部に引き出されている。アーム本体１０５の先端から引き出された各ケーブル１０４のコネクタは、テレビ本体１１に設けられた端子に接続され、アーム本体１０５の基端から引き出された各ケーブル１０４のコネクタは、たとえば、病室や透析室の壁面などに設けられた端子に接続される。
【００４６】
自立型アーム式テレビ１００の構成によっても、アーム式テレビ１と同様の作用効果を奏することができる。
【００４７】
また、自立型アーム式テレビ１００は、床面に自立させて使用することができるので、その配置を自由に変更することができる。
【００４８】
アーム本体１０５の湾曲部１１２の直径は、ベッド２の横幅の約１／２に設定されることが好ましい。たとえば、一般的な病室用のベッド２の横幅が約７５〜１００ｃｍであるので、湾曲部１１２の直径は、４０〜５０ｃｍであることが好ましい。これにより、自立型アーム式テレビ１００をベッド２の幅方向の一方側に配置した状態で、テレビ本体１０１をベッド２の幅方向の中央に位置させることができる。
【００４９】
＜変形例＞
以上、本考案の２つの実施形態について説明したが、本考案は、他の形態で実施することもできる。
【００５０】
たとえば、前述の実施形態では、アーム式テレビ１が病院の病室や透析室に配置されたベッド２に取り付けて使用されるとしたが、ベッド２に限らず、ベッド２の傍に配置された床頭台にアーム式テレビ１を取り付けて使用されてもよい。また、アーム式テレビ１および自立型アーム式テレビ１００は、病室や透析室、介護施設の居室などに配置されて、身体の不自由な使用者が使用する場合に特に有用であるが、その使用場所および用途はこれに限定されない。
【００５１】
また、表示器の一例として、液晶テレビからなるテレビ本体１１，１０１を取り上げたが、表示器は、タブレット端末やスマートフォンなどであってもよい。
【００５２】
その他、実用新案登録請求の範囲に記載された事項の範囲で種々の設計変更を施すことが可能である。
【符号の説明】
【００５３】
１：アーム式テレビ（アーム式表示器）
１１：テレビ本体（表示器）
１２：アーム（表示器用アーム）
１３：ケーブル
１４：アーム本体
１５：保持具
１６：固定具
１００：自立型アーム式テレビ（アーム式表示器）
１０１：テレビ本体（表示器）
１０２：アーム
１０３：土台
１０４：ケーブル
１０５：アーム本体
１０６：保持具
１３３：締付部材（固定具）
【図１】
0003209224.tif 000003
【図２】
0003209224.tif 000004
【図３】
0003209224.tif 000005
【図４】
0003209224.tif 000006
【図５】
0003209224.tif 000007